(57)【要約】【課題】使用者が生体センサの装着の違和感を受けることなくかつ生体情報の検出が容易な生体センサを提供すること。【解決手段】本発明は、耳介の前方から後方にかけて耳介外周部に沿うように装着されるアーム状装着部２０と、装着部２０に設けられた検出電極６４と接地電極６２とを有し、人体から心電情報を検出する静電容量型生体情報検出部６０と、を具備する生体センサである。本発明によれば、装着部２０が耳介の前方から後方にかけて耳介外周部に沿うように装着されるため、生体センサ１０の脱落を抑制することができる。さらに、生体情報検出部６０が検出電極６４と接地電極６２とを有する静電容量型であることから、生体情報検知部６０は容易に生体情報を検知することができる。【選択図】図３
2009153823.tif 000002
【特許請求の範囲】
【請求項１】
耳介の前方から後方にかけて耳介外周部に沿うように装着されるアーム状装着部と、
前記装着部に設けられた検出電極と接地電極とを有し、人体から生体情報を検出する静電容量型生体情報検出部と、を具備することを特徴とする生体センサ。
【請求項２】
前記装着部を装着した際に、記検出電極は前記耳介後方に位置するように配置され、前記接地電極は前記耳介前方に位置するように配置されていることを特徴とする請求項１記載の生体センサ。
【請求項３】
前記装着部を装着した際に、前記検出電極は前記耳介後方の前記装着部の人体側全面に設けられていることを特徴とする請求項２記載の生体センサ。
【請求項４】
前記装着部に保持され外耳孔内に挿入される発音部を具備することを特徴とする請求項１から３のいずれか一項記載の生体センサ。
【請求項５】
前記接地電極は前記発音部近傍に設けられ、前記検出電極は前記耳介後方の前記装着部の人体側全面に設けられていることを特徴とする請求項１記載の生体センサ。
【発明の詳細な説明】
【技術分野】
【０００１】
本発明は、生体センサに関し、特に、耳介に装着し人体から生体情報を検出する生体センサに関する。
【背景技術】
【０００２】
使用者の脈拍等の生体に関する情報である生体情報を取得するために用いられる生体センサは、例えば耳介に取り付けて生体情報を取得している。生体情報を検出する生体情報検知部として、特許文献１においては、光電型センサが用いられている。
【特許文献１】特開２００５−３２９１４７号公報
【発明の開示】
【発明が解決しようとする課題】
【０００３】
長時間生体情報を検出する場合、使用者が生体センサの装着の違和感を受けないことが好ましい。また、使用者が日常の活動を行っても生体情報が取得できることが好ましい。特許文献１においては、生体情報検知部として光電型センサを用いているため、生体情報検知部が人体に対し動いてしまうと、正確な生体情報の検出ができなくなってしまう。
【０００４】
本発明は、上記課題に鑑みなされたものであり、使用者が生体センサの装着の違和感を受けることなくかつ生体情報の検出が容易な生体センサを提供することを目的とする。
【課題を解決するための手段】
【０００５】
本発明は、耳介の前方から後方にかけて耳介外周部に沿うように装着されるアーム状装着部と、前記装着部に設けられた検出電極と接地電極とを有し、人体から生体情報を検出する静電容量型生体情報検出部と、を具備することを特徴とする生体センサである。本発明によれば、装着部が耳介の前方から後方にかけて耳介外周部に沿うように装着されるため、生体センサの脱落を抑制することができる。さらに、生体情報検出部が検出電極と接地電極とを有する静電容量型であることから、生体情報検知部は容易に生体情報を検知することができる。
【０００６】
上記構成において、前記装着部を装着した際に、記検出電極は前記耳介後方に位置するように配置され、前記接地電極は前記耳介前方に位置するように配置されている構成とすることができる。この構成によれば、検出電極と接地電極との距離を離すことができ、生体情報の検出感度を向上させることができる。
【０００７】
上記構成において、前記装着部を装着した際に、前記検出電極は前記耳介後方の前記装着部の人体側全面に設けられている構成とすることができる。この構成によれば、検出電極との面積を大きくでき、生体情報の検出感度を向上させることができる。
【０００８】
上記構成において、前記装着部に保持され外耳孔内に挿入される発音部を具備する構成とすることができる。この構成によれば、使用者が違和感を受けることなく生体センサが生体情報を取得することができる。
【０００９】
上記構成において、前記接地電極は前記発音部近傍に設けられ、前記検出電極は前記耳介後方の前記装着部の人体側全面に設けられている構成とすることができる。この構成によれば、接地電極と検出電極の距離を長くすることができる。また、検出電極との面積を大きくできる。よって、さらに生体情報の検出感度を向上させることができる。
【発明の効果】
【００１０】
本発明によれば、装着部が耳介の前方から後方にかけて耳介外周部に沿うように装着されるため、生体センサの脱落を抑制することができる。さらに、生体情報検出部が検出電極と接地電極とを有する静電容量型であることから、生体情報検知部は容易に生体情報を検知することができる。
【発明を実施するための最良の形態】
【００１１】
以下、図面を用い本発明の実施例を説明する。
【実施例１】
【００１２】
図１は実施例１に係る生体センサを有する生体センサシステムのブロック図である。生体センサ１０は後述するように生体情報検出部６０および発音部３０を有している。生体情報検出部６０が検出した生体情報（例えば心電情報）は、演算部１１に出力される。演算部１１は、例えばＣＰＵであり、生体情報を演算し結果を表示部１２に出力する。表示部１２は例えば液晶表示部であり、演算結果を表示する。演算結果は、例えば心電から演算した脈拍数である。記憶装置１３は、例えば不揮発性メモリであり、生体情報または演算結果等の生体情報に関する情報を記憶する。を記憶する。演算部１１は、演算結果をさらに判断部１４に出力する。
【００１３】
判断部１４は、演算結果に基づき使用者の生体状況（例えばリラックス状態や緊張状態）について判断する。判断結果に基づきオーディオアンプ１５および音楽プレーヤ等１６を制御する。音楽プレーヤ等１６は、音楽プレーヤ以外に、ラジオ受信機、携帯ゲームまたは携帯電話等である。オーディオアンプ１５は音楽プレーヤ等１６から出力された音声情報を増幅し発音部３０に出力する。リモコン１７はオーディオアンプ１５のボリュームおよび音楽プレーヤ等１６の操作（例えば選曲）を行う。例えば、判断部１４は、使用者の脈拍数が落ち着いている場合、使用者がリラックス状態にあると判断し、音楽プレーヤ等１６にゆったりした曲を選択させ、オーディオアンプ１５にボリュームを下げさせる。
【００１４】
図２は実施例１に係る生体センサの表側の図、図３は裏側の図、図４は生体センサを耳介に装着した状態の外観図（装着部を透視し接地電極および検出電極を図示）である。図２および図３を参照に、生体センサ１０は、アーム状の装着部２０、スピーカ等の発音部３０、静電容量センサである生体情報検知部６０を有している。生体情報検知部６０は接地電極６２と検出電極６４とを有している。生体情報検出部６０は、検出電極６４と接地電極６２とにより心電による静電容量の変化を検出する。
【００１５】
図４を参照に、装着部２０は耳介１００の前方から後方にかけて耳介外周部に沿うように装着される。装着部４０は耳介１００の外周に沿って湾曲しており一端２２は耳介１００前方の外耳孔付近に位置している。装着部２０の一端２２には発音部３０が取付られている。発音部３０は外耳孔に挿入される。これにより、使用者は、発音部３０から発音された音声を聴取することができる。また、装着部２０の一端２２からケーブル５２が延出されている。ケーブル５２は、演算部１１を介し記憶装置１３およびオーディオアンプ１５を介し音楽プレーヤ等１６に接続されている。装着部２０は耳介１００後方下まで延在している。
【００１６】
実施例１によれば、図２のように、装着部２０が耳介１００の前方から後方にかけて耳介外周部に沿うように装着されるため、生体センサの脱落を抑制することができる。さらに、生体情報検出部６０は、装着部２０に設けられた検出電極６４と接地電極６２により、人体から生体情報として心電情報を検出することができる。静電容量センサは、身体の発する電位の変化の検出により生体情報を取得している。このため、人体と検出電極６４との距離が大きく変動しなければ生体情報を取得することができる。よって、生体情報検知部６０は容易に生体情報を検知することができる。また、使用者が活動して、生体情報検知部６０の位置がずれた場合であっても生体情報を検出することができる。さらに、装着部２０の表面に検出電極６４および接地電極６２を設けているため、使用者は生体センサを装着している感覚無しに生体センサ１０を装着することができる。
【００１７】
検出電極６４および接地電極６２は装着部２０のいずれかの箇所に設けられていればよい。しかしながら、検出電極６４と接地電極６２との距離を離すことが好ましい。そこで、図４のように、耳介１００の前方から後方にかけて耳介外周部に沿うように装着されたアーム状装着部２０において、検出電極６４は耳介１００後方に位置するように配置され、接地電極６２は耳介１００前方に位置するように配置されることが好ましい。これにより、検出電極６４と接地電極６２との距離を離すことができ、生体情報の検出感度を向上させることができる。
【００１８】
さらに、生体センサ１０は、装着部２０に保持され外耳孔内に挿入される発音部３０を有することが好ましい。これにより、使用者が音楽等を聴取しつつ、生体センサ１０が生体情報を検出することができる。よって、使用者が違和感を受けることなく生体センサ１０が生体情報を取得することができる。さらに、生体センサ１０は、生体情報検出部６０以外に体温情報を検出する体温検知部を有してもよい。
【実施例２】
【００１９】
図５は、実施例２に係る生体センサの裏側の図、図６は耳介に装着した状態を示す図（装着部を透視し接地電極および検出電極を図示）である。図５および図６を参照に、装着部２０を耳介１００に装着した際に、検出電極６４ａは耳介１００後方の装着部２０の人体側全面に設けられている。例えば、図５を参照に、装着部２０を耳介１００に装着した際に装着部２０の内周部のうち最も上部となる箇所を箇所９０としたとき、検出電極６４ａは、装着部２０の箇所９０より後方の人体側全面に設けられている。これにより、検出電極６４ａの面積を大きくすることができ、静電容量センサである生体情報検出部６０ａの感度を向上させることができる。
【００２０】
さらに、接地電極６２を発音部３０近傍、すなわち外耳孔近傍に設けることにより、接地電極６２と検出電極６４ａの距離を長くすることができる。よって、さらに検出感度を向上させることができる。
【００２１】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００２２】
【図１】図１は実施例１に係る生体センサを有する生体センサシステムのブロック図である。
【図２】図２は実施例１に係る生体センサの表側図である。
【図３】図３は実施例１に係る生体センサの裏側図である。
【図４】図４は実施例１に係る生体センサを耳介に装着した図である。
【図５】図５は実施例２に係る生体センサの表側図である。
【図６】図６は実施例２に係る生体センサを耳介に装着した図である。
【符号の説明】
【００２３】
１０            生体センサ
２０            装着部
３０            発音部
６０            生体情報検出部
６２            接地電極
６４            検出電極
【図１】
2009153823.tif 000003
【図２】
2009153823.tif 000004
【図３】
2009153823.tif 000005
【図４】
2009153823.tif 000006
【図５】
2009153823.tif 000007
【図６】
2009153823.tif 000008